(57)【特許請求の範囲】
【請求項１】
複数のアンテナと、受信時には選択ダイバーシチに応じて最適なアンテナを選択して受信部に接続する機能と、音声通話モード、低速のパケットを伝送する低速通信モード、及び高速でパケットを伝送すると共に受信状態と送信状態が同時に成立するタイミングを持つ高速通信モードの各通信モードを備えた携帯電話装置において、
各通信モードの受信時にはアンテナダイバーシチ制御信号を出力し、前記高速通信モードの実行時には高速を示す信号を出力する制御部と、
前記制御部からのアンテナダイバーシチ制御信号に応じて前記複数のアンテナの中から最適な１つを選択して前記受信部側に接続し、前記高速通信モードを示す切替信号が出力されたときには、前記複数のアンテナの内の受信用に用いていない１つを送信用として前記送信部側と接続するアンテナ切替回路と、
前記制御部から前記高速通信モード状態にあることを示す信号が出力されたとき、前記アンテナ切替回路により選択されている各アンテナと前記受信部及び前記送信部との間に受信用フィルタ及び送信用フィルタを介挿接続する受信用スイッチ回路及び送信用スイッチ回路を備え、
前記制御部は、前記高速通信モードにおいて、前記受信部と前記送信部のそれぞれが異なるアンテナに接続されるように前記アンテナ切替回路を制御し、前記受信部と前記送信部が同時に動作しない場合、前記受信用フィルタ及び前記送信用フィルタを受信信号及び送信信号が通過しないように、前記受信用スイッチ回路及び送信用スイッチ回路を制御することを特徴とする携帯電話装置。
【請求項２】
前記送信用フィルタ及び受信用フィルタは、送信波が前記受信部に回り込むことにより発生する受信広帯域アンプの歪みを抑制する機能を有することを特徴とする請求項１記載の携帯電話装置。
【請求項３】
複数のアンテナと、受信時には選択ダイバーシチに応じて最適なアンテナを選択して受信部に接続する機能と、音声通話モード、低速のパケットを伝送する低速通信モード、及び高速でパケットを伝送すると共に受信状態と送信状態が同時に成立するタイミングを持つ高速通信モードの各通信モードを備えた携帯電話装置において、
各通信モードの受信時にはアンテナダイバーシチ制御信号を出力し、前記高速通信モードの実行時には高速を示す信号を出力する制御部と、
前記制御部からのアンテナダイバーシチ制御信号に応じて前記複数のアンテナの中から最適な１つを選択して前記受信部側に接続し、前記高速通信モードを示す切替信号が出力されたときには、前記複数のアンテナの内の受信用に用いていない１つを送信用として前記送信部側と接続するアンテナ切替回路と、
前記制御部から前記高速通信モード状態にあることを示す信号が出力されたとき、前記アンテナ切替回路により選択されている各アンテナと前記受信部及び前記送信部との間に受信用フィルタ及び送信用フィルタを介挿接続する受信用スイッチ回路及び送信用スイッチ回路を備え、
前記高速通信モード状態にあることを示す信号は、前記低速通信モードにあるか前記高速通信モードにあるかを示す低速／高速切替信号、又は、送受信の状況から次スロットで前記受信部と前記送信部を同時に動作させる必要があるか否かを示す送受信同時動作検出信号であることを特徴とする携帯電話装置。
【請求項４】
複数のアンテナと、受信時には選択ダイバーシチに応じて最適なアンテナを選択して受信部に接続する機能と、音声通話モード、低速のパケットを伝送する低速通信モード、及び高速でパケットを伝送すると共に受信状態と送信状態が同時に成立するタイミングを持つ高速通信モードの各通信モードを備えた携帯電話装置において、
各通信モードの受信時にはアンテナダイバーシチ制御信号を出力し、前記高速通信モードの実行時には高速を示す信号を出力する制御部と、
前記制御部からのアンテナダイバーシチ制御信号に応じて前記複数のアンテナの中から最適な１つを選択して前記受信部側に接続し、前記高速通信モードを示す切替信号が出力されたときには、前記複数のアンテナの内の受信用に用いていない１つを送信用として前記送信部側と接続するアンテナ切替回路と、
前記制御部から前記高速通信モード状態にあることを示す信号が出力されたとき、前記アンテナ切替回路により選択されている各アンテナと前記受信部及び前記送信部との間に受信用フィルタ及び送信用フィルタを介挿接続する受信用スイッチ回路及び送信用スイッチ回路を備え、
前記アンテナは、第１のアンテナと第２のアンテナを含み、前記アンテナ切替回路は、前記通信モードに応じて、前記第１又は第２のアンテナと前記受信用スイッチ回路を接続する第１及び第２のスイッチと、前記第２又は第１のアンテナと前記送信用スイッチ回路を接続する第３及び第４のスイッチを備えることを特徴とする携帯電話装置。
【請求項５】
複数のアンテナと、受信時には選択ダイバーシチに応じて最適なアンテナを選択して受信部に接続する機能と、音声通話モード、低速のパケットを伝送する低速通信モード、及び高速でパケットを伝送すると共に受信状態と送信状態が同時に成立するタイミングを持つ高速通信モードの各通信モードを備えた携帯電話装置において、
各通信モードの受信時にはアンテナダイバーシチ制御信号を出力し、前記高速通信モードの実行時には高速を示す信号を出力する制御部と、
前記制御部からのアンテナダイバーシチ制御信号に応じて前記複数のアンテナの中から最適な１つを選択して前記受信部側に接続し、前記高速通信モードを示す切替信号が出力されたときには、前記複数のアンテナの内の受信用に用いていない１つを送信用として前記送信部側と接続するアンテナ切替回路と、
前記制御部から前記高速通信モード状態にあることを示す信号が出力されたとき、前記アンテナ切替回路により選択されている各アンテナと前記受信部及び前記送信部との間に受信用フィルタ及び送信用フィルタを介挿接続する受信用スイッチ回路及び送信用スイッチ回路を備え、
前記アンテナは、受信専用のアンテナ、送信専用のアンテナ、及び送信・受信共用のアンテナを含み、前記アンテナ切替回路は、通信モードに応じて、前記受信専用のアンテナ又は前記送信・受信共用のアンテナと前記受信用スイッチ回路を接続する第１及び第２のスイッチと、前記送信専用のアンテナ又は前記送信・受信共用のアンテナと前記送信用スイッチ回路を接続する第３及び第４のスイッチを備えることを特徴とする携帯電話装置。
【発明の詳細な説明】
【０００１】
【発明の属する技術分野】
本発明は、携帯電話装置に関し、特に、高速パケット通信時（高速通信モード時）の受信スロット（slot）と送信スロットのそれぞれにおいて、良好かつ安定した受信特性が得られるようにした携帯電話装置に関する。
【０００２】
【従来の技術】
従来より、音声通話とパケット通信の両方に対応した携帯電話装置（ＰＤＣ：Personal Digital Cellular ）がある。この携帯電話装置によりパケット通信が行えることで、オフィスや自宅以外の屋外からも電話回線を用いることなくパケット通信が行えるようになる。しかし、従来の携帯電話装置は通信速度が低いため、データ量が多くなるほどパケット通信の所要時間が増えるため、大量のデータを送るには適していない。また、接続料金も増大する。
【０００３】
携帯電話装置において、パケット通信の高速化を図るためには、「高速通信モード」に対応させればよく、これにより、従来の数倍の通信速度を得ることが可能になる。しかし、高速通信モードに対応させようとすると、受信部と送信部が同時に動作する場合が考えられる。この場合、自送信波が受信特性に影響を与え、安定した受信特性が得られない恐れがある。この問題を解決するためには、高速パケット通信時におけるアンテナの切り替えを最適に制御し、最良かつ安定した受信特性が得られるようにする必要がある。
【０００４】
図５は従来の携帯電話装置におけるアンテナ切り替え部の構成を示す。
【０００５】
第１のアンテナ１と第２のアンテナ２には、アンテナ切替回路３が接続され、このアンテナ切替回路３には受信部４及び送信部５が接続されている。アンテナ切替回路３は、スイッチＳＷ１，ＳＷ２，ＳＷ３を備え、これらスイッチは、制御部６から出力されるアンテナダイバーシチ制御信号Ｓａｄによって切り替えられる。送信部５は第１のアンテナ１のみに接続され、受信部４は第１のアンテナ１又は第２のアンテナ２に接続される。受信時には、スイッチＳＷ２がオフにされ、スイッチＳＷ１又はＳＷ３の一方がオンにされることにより、第１のアンテナ１又は第２のアンテナ２が受信部４に接続される。受信部４が第１のアンテナ１と第２のアンテナ２のどちらに接続されるかは、選択ダイバーシチによって決められ、受信レベルの高い方のアンテナが選択され、この選択されたアンテナに受信部４が接続される。
【０００６】
図６は、従来の携帯電話装置における音声通話時及びパケット通信時の送受信スロットの構成を示す。
【０００７】
音声通話及びパケット通信時（低速通信モード時）においては、スロットＲＸ０、ＲＸ１、ＲＸ２からなる受信スロット１１と、スロットＴＸ０、ＴＸ１、ＴＸ２からなる送信スロット１２が、送受信スロットとして形成される。受信スロット１１と送信スロット１２は、図中のそれぞれ同じ数字に対応したスロットでのみ動作する。例えば、受信部４がスロットＲＸ０で動作した場合、送信部５は次のスロットＴＸ０で動作する。このようなスロット構成では、送信部５と受信部４が同時に動作することはない。
【０００８】
音声通話中もパケット通信中（低速通信モード）も同一動作であるが、ここでは、受信部４が図６の受信スロットＲＸ０時に動作する場合について説明する。このとき、図５のアンテナ１及びアンテナ２による受信レベルのそれぞれを予め測定しておき、よりレベルの高い方のアンテナを選択して受信に用いる。例えば、図５のアンテナ切替回路３がアンテナダイバーシチ制御信号Ｓａｄによりアンテナ１を選択した場合、ＳＷ１がＯＮでＳＷ３はＯＦＦになる。また、アンテナ２を選択した場合、ＳＷ１がＯＦＦ、ＳＷ３がＯＮになり、ＳＷ１とＳＷ３が同時にＯＮになることはない。次に、送信部５について説明する。受信部４がＲＸ０で動作するため、これに合わせて送信部５はＴＸ０で動作する。さらに、アンテナ切替回路３によりＳＷ２をＯＮにすることで、アンテナ１から送信が行われる。
【０００９】
図７は、従来の携帯電話装置に対するパケット通信の高速通信モード時の送受信のスロット構成例を示す。
【００１０】
高速通信モード時には、受信部４は最大で３スロット（ＲＸ０、ＲＸ１、ＲＸ２）の全てにおいて受信可能（即ち連続受信）とすることにより、従来の低速通信モード時に比べて高速化が可能になる。ただし、この様なスロット構成では、図７内の斜線部に示す部分で、送信部５と受信部４が同時に動作するタイミングが生じる。
【００１１】
このように、図５の構成で高速通信モードを達成しようとすると、受信部４は複数のスロットで連続受信状態になるため、その間に送信部５が動作するスロットが生じるため、高速通信モードを実現することができない。
【００１２】
アンテナの切り替えに関するものに特開２０００−５９２５８号公報があり、２つのアンテナと送信回路及び受信回路を持つ通信機器において、送信回路と受信回路を同時に使用できるようにするため、４つのスイッチをリング状に接続し、その１つの対角位置のそれぞれに受信用の第１のアンテナと送信用の第２のアンテナを接続し、他の対角位置のそれぞれに受信用フィルターと送信用フィルタを接続する。４つのスイッチ（ＳＷ１〜ＳＷ４）の内、１つを選択してオンにし、他の３つをオフにする。例えば、受信時にはＳＷ３をオンにすると共にＳＷ１、ＳＷ２、ＳＷ４をオフにしてＡＮＴ１と受信用フィルターを接続し、また、送信時にはＳＷ１をオンにし、他のＳＷ２〜ＳＷ４をオフにし、ＡＮＴ２と送信用フィルターを接続する。この構成により、アンテナとの間に介在するフィルターは１つだけとなり、伝送系の挿入損失を低減することができる。
【００１３】
【発明が解決しようとする課題】
しかし、従来の携帯電話装置によると、図５の構成では同時に受信部４と送信部５が動作するタイミングが生じるため、高速通信モードを実現することができない。受信部４と送信部５が同時に動作する状態が生じると、送信波自身が受信部に回り込むことにより受信広帯域アンプに歪みを発生させるほか、送信波の受信周波数帯にノイズ成分を発生させる。受信部と送信部が同時に動作している場合、上記２つの成分を低減させることが、安定した受信特性を得るために必須の条件となる。
【００１４】
また、特開２０００−５９２５８号公報の場合、高速パケット通信への対応は考慮されておらず、アンテナの切り替えはダイバーシチのみに対応するものであり、アンテナの切り替えは接続中のアンテナの受信レベルに基づいて最適な方のアンテナを選択しており、図５のようなスロット単位による切り替えは開示されていない。
【００１５】
したがって、本発明の目的は、高速パケット通信時にアンテナ切替部を最適に制御し、送受信の各タイミングにおいて最良で安定した受信特性が得られる携帯電話装置を提供することにある。
【００１６】
【課題を解決するための手段】
本発明は、上記の目的を達成するため、複数のアンテナと、受信時には選択ダイバーシチに応じて最適なアンテナを選択して受信部に接続する機能と、音声通話モード、低速のパケットを伝送する低速通信モード、及び高速でパケットを伝送すると共に受信状態と送信状態が同時に成立するタイミングを持つ高速通信モードの各通信モードを備えた携帯電話装置において、各通信モードの受信時にはアンテナダイバーシチ制御信号を出力し、前記高速通信モードの実行時には高速を示す信号を出力する制御部と、前記制御部からのアンテナダイバーシチ制御信号に応じて前記複数のアンテナの中から最適な１つを選択して前記受信部側に接続し、前記高速通信モードを示す切替信号が出力されたときには、前記複数のアンテナの内の受信用に用いていない１つを送信用として前記送信部側と接続するアンテナ切替回路と、前記制御部から前記高速通信モード状態にあることを示す信号が出力されたとき、前記アンテナ切替回路により選択されている各アンテナと前記受信部及び前記送信部との間に受信用フィルタ及び送信用フィルタを介挿接続する受信用スイッチ回路及び送信用スイッチ回路を備え、前記制御部は、前記高速通信モードにおいて、前記受信部と前記送信部のそれぞれが異なるアンテナに接続されるように前記アンテナ切替回路を制御し、前記受信部と前記送信部が同時に動作しない場合には、前記受信用フィルタ及び前記送信用フィルタを受信信号及び送信信号が通過しないように、前記受信用スイッチ回路及び送信用スイッチ回路を制御することを特徴とする携帯電話装置を提供する。
この構成によれば、高速通信モード時には、制御部から高速通信モードを示す切替信号が出力され、この信号に応じて受信用スイッチ回路及び送信用スイッチ回路は、その前段に受信用フィルタ及び送信用フィルタを介挿するように切り替える。したがって、受信部と送信部が同時に動作しても、送信時の自機の送信波の影響を低減し、自機の送信波が受信周波数帯域に発生するノイズ成分によって、受信特性が劣化するのを防止できる。また、高速通信モードであっても、受信部と送信部が同時に動作しない場合は、信号が受信用フィルタ及び送信用フィルタを通過しないように、受信用スイッチ回路及び送信用スイッチ回路を制御するため、フィルタの介挿による損失を低減し、受信感度や送信電流を改善することができる。
【００１７】
【発明の実施の形態】
以下、本発明の実施の形態を図面に基づいて説明する。
【００１８】
〔第１の実施の形態〕
図１は、本発明の携帯電話装置の第１の実施の形態を示す。
【００１９】
第１のアンテナ１と第２のアンテナ２には、４個のスイッチＳＷ１〜ＳＷ４（半導体素子を用いたスイッチ）を内蔵するアンテナ切替回路２０が接続されている。このアンテナ切替回路２０には、スイッチ回路２１，２２、及び制御部２５が接続されている。アンテナ切替回路２０内のスイッチＳＷ１〜ＳＷ４は、制御部２５から出力されるアンテナダイバーシチ制御信号Ｓａｄ又は低速／高速切替信号２６（低速又は高速を示す信号を含む）により切り替えられる。スイッチ回路２１は、入力側及び出力側に設けられた１回路２接点のスイッチ２１ａ，２１ｂと、これらスイッチの各１の接点同志を結ぶリード２１ｃを備えて構成されている。スイッチ２１ａ，２１ｂの他の接点間には、フィルタ２３が必要時に接続される。同様に、スイッチ回路２２は、入力側及び出力側に設けられた１回路２接点のスイッチ２２ａ，２２ｂと、これらスイッチの接点Ａ同志を結ぶリード２２ｃを備えて構成され、スイッチ２２ａ，２２ｂの他の接点間には、必要時にフィルタ２４が接続される。
図１の構成の動作について、まず、音声通話中及びパケット通信中（低速通信モード）について説明する。ここでは、受信部４が受信スロットＲＸ０時に動作するものとする。この場合、予め第１のアンテナ１及び第２のアンテナ２の各受信レベルを測定し、受信レベルの高い方のアンテナを受信部４に接続する。例えば、制御部２５からのアンテナダイバーシチ制御信号Ｓａｄにより第１のアンテナ１が選択された場合、ＳＷ１がＯＮでＳＷ３はＯＦＦになる。また、アンテナ２が選択された場合、ＳＷ１がＯＦＦし、ＳＷ３がＯＮになる。このように、ＳＷ１とＳＷ３が同時にＯＮすることはない。このとき、スイッチ回路２１のスイッチ２１ａ，２１ｂは接点Ａ同志が接続され、受信部４はフィルタ２３を通さずにスイッチＳＷ１に接続される。また、その他のスイッチＳＷ２，ＳＷ４は、受信部４と送信部５が同時に動作しないため、共にＯＦＦになる。
次に、送信部５について考える。音声通話モード及び低速通信モードにおいては、制御部２５から低速／高速切替信号２６として「低速」が出力され、アンテナ切替回路２０に入力される。受信部４はスロットＲＸ０で動作するため、送信部５はスロットＴＸ０において動作する。このとき、アンテナ切替回路２０では、スイッチＳＷ２がＯＮ、スイッチＳＷ４がＯＦＦになり、第１のアンテナ１から送信が行われる。したがって、スイッチＳＷ２とＳＷ４が、同時にＯＮになることはない。スイッチ２２ａ，２２ｂは共に接点Ａが選択されて直通状態にあり、フィルタ２４は使われない。したがって、送信部５からの送信信号は、フィルタ２を介さずにアンテナ切替回路２０に入力される。また、その他のスイッチＳＷ１，ＳＷ３は、受信部と送信部が同時に動作することは無いため、共にＯＦＦになっている。
次に、パケット通信時の高速通信モードについて説明する。
【００２０】
受信においては、制御部２５からのアンテナダイバーシチ制御信号Ｓａｄによって、アンテナ切替回路２０により第１のアンテナ１又は第２のアンテナ２が選択され、スイッチ回路２１を介して受信部４に接続される。例えば、アンテナダイバーシチ制御信号Ｓａｄによって第１のアンテナ１が選択された場合、スイッチＳＷ１がＯＮ、スイッチＳＷ３がＯＦＦになる。また、アンテナ２が選択された場合、スイッチＳＷ１がＯＦＦ、スイッチＳＷ３がＯＮになる。したがって、スイッチＳＷ１とＳＷ３が同時にＯＮになることはない。このとき、スイッチ２１ａ，２１ｂは共に接点Ｂに接続され、これによって受信部４はフィルタ２３を介して第１のアンテナ１又は第２のアンテナ２に接続される。フィルタ２３は、自機の送信部５から送信された送信波の受信部４への回り込みに起因して発生する受信広帯域アンプ（受信部４に内蔵）の歪みを抑制するように機能する。これにより、送信波自身が受信部４に与える影響を取り除くことが可能となる。
次に、送信部５について説明する。高速通信モードにおいては、制御部２５から出力された低速／高速切替信号２６の「高速」を示す信号がアンテナ切替回路２０に入力される。このとき、アンテナダイバーシチ制御信号Ｓａｄによって第１のアンテナ１が選択されているときには、スイッチＳＷ２はＯＦＦし、スイッチＳＷ４がＯＮし、第２のアンテナ２から送信される。また、アンテナダイバーシチ制御信号Ｓａｄによって第２のアンテナ２が選択されている場合、スイッチＳＷ２がＯＮ、スイッチＳＷ４がＯＦＦになり、第１のアンテナ１から送信が行われる。このように、スイッチＳＷ２とＳＷ４は、同時にＯＮすることはない。また、スイッチ２２ａ，２２ｂは共に接点Ｂが選択され、これにより、送信信号はフィルタ２４を介してアンテナ切替回路２０に入力される。フィルタ２４は、上記したように送信波の受信周波数帯に発生するノイズ成分を低減する働きを持っている。したがって、送信波の受信周波数帯域でのノイズ成分はフィルタ２４のほか、アンテナ切替回路２０のスイッチ間のアイソレーション、及び２つのアンテナ間のアイソレーションを加味した低減量になる。この総和を十分に確保できる様に設計することにより、送信波の受信周波数帯に発生するノイズ成分は、受信部４に与える影響を取り除くことが可能となる。
図１の構成によれば、受信側においては、スイッチ回路によりフィルタ２３にパスを切り替えることによって、送信波自身が受信部４に回り込むことに起因する受信広帯域アンプの歪み成分が十分に減衰され、自送信波が受信部４に与える影響を低減できる。また、送信波の受信周波数帯に発生するノイズ成分の減衰は、フィルタ２４によるパスの切り替え、アンテナ切替回路２０内部のスイッチ（ＳＷ）間のアイソレーション、及び第１及び第２のアンテナ間のアイソレーションのそれぞれにより、十分に達成される。以上により、受信部４と送信部５が同時に動作した場合でも、安定した受信特性を得ることが可能になる。
上記の動作を表に示せば、〔表１〕のようになる。
【００２１】
【表１】
0003678684.tif 000002
【００２２】
さらに、通常の音声通話モード及び低速通信モードにおいては、スイッチ回路２１，２２がフィルタ２３及びフィルタ２４を通さないように制御されることで、フィルタ２３が挿入された場合のロス分による感度劣化を防ぐことが可能となる。また、フィルタ２４のが挿入された場合のロス分によるパワー減衰が改善されるので、消費電流の低減が可能になる。
〔第２の実施の形態〕
図２は、本発明の携帯電話装置の第２の実施の形態を示す。図２においては、携帯電話装置のアンテナ切替回路部のみを示している。
【００２３】
図２の構成が図１と異なるのはアンテナの構成であり、送信・受信共用のアンテナＴＲＸ、受信専用のアンテナＲＸ、及び送信専用のアンテナＴＸの３本のアンテナを備え、これらアンテナを切り替えるアンテナ切替回路３０を備えたところに相違がある。アンテナ切替回路３０は、アンテナＲＸとスイッチ回路２１を接続するスイッチＳＷ１１、アンテナＴＲＸとスイッチ回路２１を接続するスイッチＳＷ１２、アンテナＴＲＸとスイッチ回路２２を接続するスイッチＳＷ１３、アンテナＴＸとスイッチ回路２２を接続するスイッチＳＷ１４の４つのスイッチを備えている。
次に、図２の構成の動作について説明する。まず、音声通話中及びパケット通信中（低速通信モード）の動作について説明する。
【００２４】
前記実施の形態と同様に、受信部４は受信スロットＲＸ０において動作する場合を考える。このとき、予め図２のアンテナＴＲＸ及びアンテナＲＸでの受信レベルをそれぞれ測定し、よりレベルの高い方を選択する。具体的には、図２のアンテナダイバーシチ制御信号ＳａｄによりアンテナＴＲＸが選択された場合は、ＳＷ１１がＯＦＦ、ＳＷ１２がＯＮになる。また、アンテナＲＸが選択された場合、ＳＷ１１がＯＮ、ＳＷ１２がＯＦＦになる。この場合も、ＳＷ１１とＳＷ１２が同時にＯＮすることはない。また、スイッチ２１ａ，２２ｂは共に接点Ａが選択され、アンテナＲＸはフィルタ２３を通さずに受信部４に接続される。
次に、送信部５について考える。音声通話及び低速通信モードにおいては、制御部２５から低速／高速切替信号２６として、「低速」を示す出力がアンテナ切替回路３０に入力される。受信部４はスロットＲＸ０において動作するため、送信部５はスロットＴＸ０で動作し、アンテナ切替回路３０は、スイッチＳＷ１３がＯＮ、ＳＷ１４がＯＦＦになる。これにより、送信部５はアンテナＴＲＸに接続され、このアンテナＴＲＸから送信される。この場合、スイッチＳＷ１３とＳＷ１４は、同時にＯＮすることはない。また、スイッチ２２ａ，２２ｂは共に接点Ａに接続され、送信部５からの送信信号はフィルタ２４を通さず（パス）にアンテナ切替回路３０に送出される。
次に、パケット通信中の高速通信モードについて説明する。
【００２５】
受信部４は、図１の場合と同様に、制御部２５から出力されるアンテナダイバーシチ制御信号Ｓａｄにより、アンテナＴＲＸ又はアンテナＲＸが選択される。例えば、アンテナダイバーシチ制御信号ＳａｄによりアンテナＴＲＸが選択された場合、ＳＷ１１がＯＦＦ、ＳＷ１２がＯＮになる。また、アンテナＲＸを選択した場合、ＳＷ１１がＯＮ、ＳＷ１２がＯＦＦになる。この場合も、ＳＷ１１とＳＷ１２は同時にＯＮすることはない。また、スイッチ回路２１のスイッチ２１ａ，２１ｂにより接点Ｂが選択されるので、受信部４はフィルタ２３を介してアンテナＲＸに接続される。フィルタ２３は、送信部５からの送信波の受信部４への回り込みに起因して発生する受信広帯域アンプ（受信部４に内蔵）の歪みを抑制し、送信波自身が受信部４に与える影響を除去する。
次に、高速通信モードにおける送信部５の動作について説明する。この場合、低速／高速切替信号２６として、「高速」がアンテナ切替回路３０に入力される。アンテナダイバーシチ制御信号ＳａｄによりアンテナＴＲＸが受信用に選択された場合、アンテナ切替回路３０では、ＳＷ１３がＯＦＦ、ＳＷ１４がＯＮになり、選択されたアンテナＴＸが送信に用いられる。また、アンテナダイバーシチ制御信号ＳａｄによりアンテナＲＸが受信用に選択され、このアンテナＲＸに受信部４が接続された場合、アンテナ切替回路３０では、ＳＷ１３がＯＮ、ＳＷ１４がＯＦＦになり、アンテナＴＲＸから送信が行われる。この場合、ＳＷ１３とＳＷ１４が同時にＯＮすることはない。スイッチ回路２１では、スイッチ２１ａ，２１ｂは接点Ｂを選択し、送信信号はフィルタ２４を介してアンテナ切替回路３０に入力される。フィルタ２４の挿入による効果は、上記したフィルタ２３と同じである。
以上のように、受信部４と送信部５が同時に動作した場合でも、安定した受信特性の得られる携帯電話装置を得ることができる。
上記第２の実施の形態の動作を表に示せば、〔表２〕のようになる。
【００２６】
【表２】
0003678684.tif 000003
【００２７】
図３は、パケット通信の高速通信モード時における送受信スロット構成の一例を示す。受信スロット１１は３スロット（ＲＸ０、ＲＸ１、ＲＸ２）の全てで受信が可能であるが、従来と異なり、図３に示す様に、受信部４が動作しないタイミングが存在する（ＲＸ１→ＲＸ２→ＲＸ０）。そのため、高速通信モード中において送信部５が動作した場合でも、送信スロット１２においては、受信部４と送信部５が同時に動作しないタイミングＴ０と、受信部４と送信部５が同時に動作しているタイミングＴ１（斜線部分）が存在する。
〔第３の実施の形態〕
図４は、本発明の携帯電話装置の第３の実施の形態を示す。
【００２８】
図４の構成が図１と異なるところは、低速／高速切替信号２６が送受信同時動作検出信号２７に変更されているところにあり、他の構成は図１に示した通りである。送受信同時動作検出信号２７は、送受信の状況から次スロットで受信部４と送信部５を同時に動作させる必要があるか否かを示す信号であり、制御部２５が判断して出力する。ここでは、送受信同時動作検出信号２７の“Ｌ”レベルは次スロットにおいて送受信同時動作無しを示し、“Ｈ”レベルは次スロットにおいて送受信同時動作有りを示すものとする。
まず、音声通話中及びパケット通信中（低速通信モード）については、図１の場合と同じであるため、ここでは説明を省略し、パケット通信中の高速通信モードについてのみ説明する。
【００２９】
図４の構成では、高速通信モードであっても、送受信同時動作検出信号２７が“Ｌ”レベルの時は、受信部４と送信部５が同時に動作しないため、音声通話中や低速通信モード中と同様の動作をする。
【００３０】
具体的には、受信部４は図７のアンテナダイバーシチ制御信号Ｓａｄにより、第１のアンテナ１又は第２のアンテナ２が選択される。アンテナダイバーシチ制御信号Ｓａｄにより第１のアンテナ１を選択した場合は、スイッチＳＷ１がＯＮ、ＳＷ３がＯＦＦになる。また、第１のアンテナ１を選択した場合は、ＳＷ１がＯＦＦ、ＳＷ３がＯＮになる。ＳＷ１とＳＷ３が同時にＯＮになることはない。送受信同時動作検出信号２７が“Ｌ”レベルであるため、スイッチ回路２１のスイッチ２１ａ，２１ｂは共に接点Ａに接続され、アンテナ切替回路２０はフィルタ２３を通さずに受信部４に接続される。
また、送信側においては、アンテナダイバーシチ制御信号Ｓａｄにより受信部４が第１のアンテナ１を選択している場合、アンテナ切替回路２０では、スイッチＳＷ２がＯＦＦ、ＳＷ４がＯＮになって第２のアンテナ２が選択され、この第２のアンテナ２から送信が行われる。また、アンテナダイバーシチ制御信号Ｓａｄにより受信部４が第２のアンテナ２を選択している場合、スイッチＳＷ２がＯＮ、ＳＷ４がＯＦＦになり、アンテナ１から送信が行われる。ここで、スイッチＳＷ２とＳＷ４が同時にＯＮになることはない。スイッチ回路２２は、送受信同時動作検出信号２７が“Ｌ”レベルであるため、接点Ａが選択される。したがって、送信信号はフィルタ２４を介さずにアンテナ切替回路２０に入力される。
送受信同時動作検出信号２７が“Ｌ”レベルのときの動作を表に示せば、〔表３〕のようになる。
【００３１】
【表３】
0003678684.tif 000004
【００３２】
高速通信モードにおいて、送受信同時動作検出信号２７が"Ｈ"レベルの場合、受信部４と送信部５は同時に動作するため、図１の構成の高速通信モード時と同様の動作をする。即ち、受信部４及び送信部５は、アンテナ切替回路２０のスイッチＳＷ１〜ＳＷ４は、送受信同時動作検出信号２７が"Ｌ"レベルの時と同様の動作をする。スイッチ２１ａ，２１ｂは、送受信同時動作検出信号２７が"Ｈ"レベルであるため、共に接点Ｂが選択され、フィルタ２３を介して受信部４に接続される。フィルタ２３が示す効果は図１の場合と同様である。スイッチ２１ａ，２１ｂは共に接点Ｂに接続され、送信部５からの送信信号はフィルタ２４を介してアンテナ切替回路２０に入力される。フィルタ２４の働きは図１で説明した通りである。
送受信同時動作検出信号２７が"Ｌ"レベルのときの動作を表に示せば、〔表３〕のようになる。
【００３３】
【表４】
0003678684.tif 000005
【００３４】
高速通信モードであっても、受信部と送信部が同時に動作しない場合は、信号がフィルタ２３やフィルタ２４を通過しないように、アンテナ切替回路２０のパスを切り替えることにより、フィルタ２３やフィルタ２４のロス分だけ受信感度や送信電流の改善に寄与できることになる。
以上のように、図４の構成によれば、高速通信モードであっても、受信部４と送信部５が同時に動作しない場合と同時に動作する場合とで、アンテナ切替回路２０のパスを最適に切り替えることができるため、安定した受信特性の得られる携帯電話装置を得ることができる。
【００３５】
【発明の効果】
以上より明らかなように、本発明の携帯電話装置によれば、高速通信モード時には、高速通信モードを示す切替信号を制御部から出力し、この信号に応じて受信用スイッチ回路及び送信用スイッチ回路により受信部及び送信部の前段に受信用フィルタ及び送信用フィルタを接続するようにしたので、受信部と送信部が同時に動作しても、送信時の自機の送信波の影響を低減できる。すなわち、送信波が受信部に回り込むことにより発生する受信広帯域アンプの歪み成分がフィルタによって十分に減衰され、また、送信波の受信周波数帯に発生するノイズ成分は送信側にフィルタを設けることによって、アンテナ切り替え回路内部のスイツチ間のアイソレーション、及びアンテナ１とアンテナ２間のアイソレーションのそれぞれを得ることにより十分に減衰される。これにより、送信部と受信部が同時に動作した場合でも、安定した受信特性を得ることが可能になる。
【図面の簡単な説明】
【図１】本発明の携帯電話装置の第１の実施の形態を示すブロック図である。
【図２】本発明の携帯電話装置の第２の実施の形態を示すブロック図である。
【図３】パケット通信の高速通信モード時における送受信スロット構成の一例を示す構成図である。
【図４】本発明の携帯電話装置の第３の実施の形態を示すブロック図である。
【図５】従来の携帯電話装置におけるアンテナ切り替え部の構成を示すブロック図である。
【図６】従来の携帯電話装置における音声通話時及びパケット通信時の送受信スロットの構成を示す構成図である。
【図７】従来の携帯電話装置に対するパケット通信の高速通信モード時の送受信のスロット構成例を示す構成図である。
【符号の説明】
１  第１のアンテナ
２  第２のアンテナ
４  受信部
５  送信部
２０，３０  アンテナ切替回路
２１，２２  スイッチ回路
２１ａ，２１ｂ，２２ａ，２２ｂ  スイッチ
２１ｃ  リード
２３，２４  フィルタ
２５  制御部
２６  低速／高速切替信号
２７  送受信同時動作検出信号
Ｓａｄ  アンテナダイバーシチ制御信号
ＳＷ１〜ＳＷ４，ＳＷ１１〜ＳＷ１４  スイッチ
ＴＲ  受信用アンテナ
ＴＲＸ  送信・受信共用アンテナ
ＴＸ  送信用アンテナ
【図１】
0003678684.tif 000006
【図２】
0003678684.tif 000007
【図３】
0003678684.tif 000008
【図４】
0003678684.tif 000009
【図５】
0003678684.tif 000010
【図６】
0003678684.tif 000011
【図７】
0003678684.tif 000012